(57)【特許請求の範囲】
【請求項１】
合成樹脂発泡体層と、
該合成樹脂発泡体層の少なくとも室内側の面に接着剤層を介して取付けられているアルミ箔層と、を有する天井化粧パネルにおいて、
前記アルミ箔層の表面に接着剤層を介して受像層が取付けられており、
該受像層に対して、前記合成樹脂発泡体層の直線状をしたウェルドラインに沿った方向性を有する図柄の模様が設けられていることを特徴とする天井化粧パネル。
【請求項２】
請求項１に記載の天井化粧パネルにおいて、
前記模様は、ウェルドラインの方向に沿った点状または線状の少なくとも一方の指標を有していることを特徴とする天井化粧パネル。
【請求項３】
請求項１に記載の天井化粧パネルにおいて、
前記模様は、ウェルドラインに沿った方向性を有する図柄を備えたパターンを、ウェルドラインの方向に沿って繰り返し配したものであることを特徴とする天井化粧パネル。
【発明の詳細な説明】
【技術分野】
【０００１】
この発明は、天井化粧パネルに関するものである。
【背景技術】
【０００２】
例えば、コンサートホールや、学校の体育館などの大規模施設の天井には、天井化粧パネルが用いられている。このような天井化粧パネルには、これまで石膏ボードが用いられていた。しかし、石膏ボードは重いため、近年、より軽量なものを用いることが求められている（例えば、特許文献１参照）。このように、軽量な天井化粧パネルを用いることによって、施設の耐震性を向上することができる。
【０００３】
例えば、特許文献１の天井化粧パネルは、基材に合成樹脂発泡体を用いている。そして、この天井化粧パネルの表面には、石膏ボードの表面に似せた模様が設けられている。
【先行技術文献】
【特許文献】
【０００４】
【特許文献１】特開平１１−２４７３５２号公報
【発明の概要】
【発明が解決しようとする課題】
【０００５】
しかしながら、上記特許文献１に記載された天井化粧パネルには、以下のような問題があった。
即ち、合成樹脂発泡体は、その材質や作り方などにもよるが、ウェルドラインなどのような外観不良を有しているものが多く、このウェルドラインが天井化粧パネルの表面に凹凸として現れてしまう。特に、天井に設置されている照明の光が天井化粧パネルの小口方向から照射されるため、ウェルドラインの凹凸が陰影を作って一層目立つので、合成樹脂発泡体は、天井化粧パネルなどの内装パネルとして使うのには向いていなかった。
【０００６】
そこで、ウェルドラインなどの外観不良が全くない合成樹脂発泡体を製造する必要が生じるが、ウェルドラインなどの外観不良のない合成樹脂発泡体を確実に製造するのには、相当な技術が必要になると共に、製造にコストもかかる。
【０００７】
そこで、本発明は、上記した問題点を解決することを、主な目的としている。
【課題を解決するための手段】
【０００８】
上記課題を解決するために、本発明は、
合成樹脂発泡体層と、
該合成樹脂発泡体層の少なくとも室内側の面に接着剤層を介して取付けられているアルミ箔層と、を有する天井化粧パネルにおいて、
前記アルミ箔層の表面に接着剤層を介して受像層が取付けられており、
該受像層に対して、前記合成樹脂発泡体層の直線状をしたウェルドラインに沿った方向性を有する図柄の模様が設けられていることを特徴とする。
【発明の効果】
【０００９】
本発明によれば、上記構成によって、ウェルドラインなどの外観不良を有する合成樹脂発泡体層を天井化粧パネルとして支障なく使用できるようにすることができる。
【図面の簡単な説明】
【００１０】
【図１】本実施の形態にかかるトラバーチン柄を有する天井化粧パネルの平面図である。
【図２】天井化粧パネルの側面図である。
【図３】合成樹脂発泡体層を製造する様子を示す図である。
【図４】ウェルドラインを有する合成樹脂発泡体層を示す図である。
【図５】トラバーチン柄を有する天井化粧パネルの平面図である。
【図６】メゾチント柄を有する天井化粧パネルの平面図である。
【図７】別のメゾチント柄を有する天井化粧パネルの平面図である。
【図８】指標について説明するための天井化粧パネルの部分拡大図である。
【図９】模様を構成するパターンを示す図である。
【図９Ａ】模様のパターンをウェルドラインの方向に沿って碁盤目状に配した状態を示す図である（実施例１）。
【図９Ｂ】模様のパターンをウェルドラインの方向にズラして配した状態を示す図である（実施例２）。
【図９Ｃ】模様のパターンをウェルドラインの方向と直交する方向にズラして配した状態を示す図である（比較例１）。
【図１０Ａ】模様のパターンをウェルドラインの方向に対し傾けて配した状態（模様がウェルドラインの方向に沿うもの）を示す図である（実施例３）。
【図１０Ｂ】模様のパターンをウェルドラインの方向に対し傾けて配した状態（模様がウェルドラインの方向に対して傾くもの）を示す図である（比較例２）。
【発明を実施するための形態】
【００１１】
以下、本実施の形態を、図面を用いて詳細に説明する。
図１〜図１０Ａ、図１０Ｂは、この実施の形態を説明するためのものである。
【実施例１】
【００１２】
＜構成＞以下、構成について説明する。
【００１３】
例えば、コンサートホールや、学校の体育館などの大規模施設の天井を、例えば、図１に示すような、天井化粧パネル１などの内装パネルを用いて構成する。この天井化粧パネル１を、軽量タイプのものにする。
【００１４】
ここで、大規模施設は、例えば、高さが６ｍ超、水平投影面積が２００ｍ2超、単位面積質量が２ｋｇ／ｍ2超の吊天井構造を有する特定天井を有するものなどとされる（2014年4月1日に施行された「耐震天井告示」（平成25年国土交通省告示第771号）。
【００１５】
軽量な天井化粧パネル１は、吊り具と合わせて２．０ｋｇ／ｍ2以下となるような重さとされる。
【００１６】
そこで、図２に示すように、天井化粧パネル１を、
合成樹脂発泡体層２と、
この合成樹脂発泡体層２の少なくとも室内側の面に接着剤層３を介して取付けられているアルミ箔層４と、を有するものとする。
【００１７】
ここで、合成樹脂発泡体層２は、天井化粧パネル１の基材となるものである（発泡層または発泡性断熱材層）。この合成樹脂発泡体層２は、重さが１．０ｋｇ／ｍ2程度の断熱材であり、重さが６．２〜１４．０ｋｇ／ｍ2にもなる石膏ボードと比べて十分に軽量なものである。
【００１８】
合成樹脂発泡体層２は、ポリスチレン樹脂、ポリ塩化ビニル樹脂、ポリエチレン樹脂、ポリプロピレン樹脂などの熱可塑性樹脂や、ポリウレタン樹脂、ポリイソシアネート樹脂、フェノール樹脂などの熱硬化性樹脂やその他の樹脂を用いることができるが、その中でも特に、熱伝導率が低く、難燃性に優れるフェノール樹脂とするのが最も好ましい。合成樹脂発泡体２は、既存のグラスウール等の繊維系断熱材と比べて熱伝導率が低いだけでなく、グラスウールの様に自重で撓むことが無い。
【００１９】
合成樹脂発泡体層２は、
密度が２０〜４０ｋｇ／ｍ３、
厚さが５〜３０ｍｍ、
重さが０．１３〜１．４ｋｇ／ｍ２、
熱伝導率が、０．０１５〜０．０２８Ｗ／ｍＫ、
熱抵抗値（厚さ×熱伝導率）が、０．５０〜２．０ｍ2・Ｋ／Ｗ、より好ましくは１．０ｍ2・Ｋ／Ｗ以上、
吸水量が５．０ｇ／１００ｃｍ２以下、より好ましくは２．０ｇ／１００ｃｍ２以下
とするのが好ましい。
【００２０】
天井化粧パネル１を、吊り具と合わせて２．０ｋｇ／ｍ2以下となるような重さとするために、合成樹脂発泡体層２は可能な限り軽量であることが好ましく、低密度で熱伝導率の低いものを用いることで、必要な断熱性能を満たしつつ薄く、かつ軽量化することができる。そのため、合成樹脂の発泡に用いられる発泡剤としては熱伝導率の低い材料を用いることが好ましく、熱伝導率が０．０１３Ｗ／ｍ・Ｋ以下の発泡剤を用いることが好ましい。このような発泡剤としては１，１，１，４，４，４−ヘキサフルオロ−２−ブテン（ＨＦＯ−１３３６ｍｚｚ（Ｚ））や１−クロロ−３，３，３−トリフルオロプロペン（ＨＣＦＯ−１２３３ｚｄ（Ｅ））などのハロゲン化不飽和炭化水素が挙げられ、これらを単独、もしくは炭化水素や塩素化炭化水素等の公知の発泡剤と混合したものを用いることにより、熱伝導率を０．０１８Ｗ／ｍＫ以下とすることができる。
【００２１】
例えば、合成樹脂発泡体層２として両面にポリエステル製不織布面材を有し、密度が２７ｋｇ／ｍ３のフェノール樹脂発泡体である天井化粧パネル１の熱抵抗値を１．０ｍ2・Ｋ／Ｗ以上とする場合には、
（ａ）フェノール樹脂発泡体の熱伝導率が０．０１８Ｗ／ｍＫのとき
天井化粧パネル１：最小厚さ１８ｍｍ（０．５２ｋｇ／ｍ２）となり、
更に、面材上にアルミ箔（０．０８〜０．６ｋｇ／ｍ２）と、
水酸化アルミ紙（０．０５〜０．２ｋｇ／ｍ２）とを積層した場合には、
０．６５〜１．３２ｋｇ／ｍ２となる。
（ｂ）フェノール樹脂発泡体の熱伝導率が０．０２０Ｗ／ｍＫのとき
天井化粧パネル１：最小厚さ２０ｍｍ（０．５７ｋｇ／ｍ２）となり、
更に、面材上にアルミ箔（０．０８〜０．６ｋｇ／ｍ２）、
水酸化アルミ紙（０．０５〜０．２ｋｇ／ｍ２）とを積層した場合には、
０．７〜１．３７ｋｇ／ｍ２となる。
【００２２】
また、合成樹脂発泡体層２として吸水量の低いものを用いることで、天井化粧パネル１をプール等の湿気の多い場所の天井に用いても、吸湿による熱伝導率の悪化や重量の増加がし難くなるため、好ましいものとなる。また、面材としてアルミ箔などの非透湿面材を用いることで、合成樹脂発泡体層２への吸水を抑えることができるので、より好ましい。
【００２３】
合成樹脂発泡体層２は、難燃性（制限酸素指数：ＬＯＩともいい、ＪＩＳ Ｋ ７２０１−２：２００７で規定される）が２６以上のものが良く、２８以上のものがより好ましく、特に３０以上のものが最も好ましい。
【００２４】
なお、合成樹脂発泡体層２は、両面に面材（紙・合成繊維不織布）を有しているものが多く、このような面材を有するものを使用しても良い。面材としては、クラフト紙、ガラス繊維混抄紙、水酸化カルシウム紙、水酸化アルミニウム紙、炭酸カルシウム紙、珪酸マグネシウム紙、レーヨン紙などの紙類や、主成分がポリエステル、ポリプロピレン、ナイロンなどからなる不織布及び織布や、ガラス繊維不織布のような無機繊維の不織布などが挙げられる。また、これらを積層したものとしても良く、例えば、ガラス繊維混抄紙と水酸化アルミニウム紙とを接着層を介して積層したものや、ポリエステル不織布と炭酸カルシウム紙またはクラフト紙とを接着層を介して積層したものなどが挙げられる。さらに、これらの面材は、接着剤を介さずに合成樹脂発泡体層２を構成する樹脂自体の接着力で積層されていても良く、または、接着剤を介して積層されていても良い。
【００２５】
合成樹脂発泡体層２は、例えば、図３に示すように、複数本の分配管１１から液状または泡状の発泡樹脂１２を吐出すると共に、吐出された液状または泡状の発泡樹脂１２を硬化炉１３へ（吐出方向に）通して、硬化炉１３で液状または泡状の発泡樹脂１２を発泡させると共に熱によって硬化させるようにして製造される。
【００２６】
そのため、図４に示すように、合成樹脂発泡体層２には、複数の分配管１１から吐出された液状または泡状の発泡樹脂１２が互いに合流した部分に凹凸状のウェルドライン１４（合流痕）が発生することになる。よって、合成樹脂発泡体層２は、ウェルドライン１４などの外観不良が多く、表面が室内側から視認される内装材として適切な表面を有するものにはなり難いものである。しかも、このウェルドライン１４は、合成樹脂発泡体層２の種類によっては製造上無くすことができず、また、ウェルドライン１４には規則性があるため、施設の天井などに設置した時に外部から目立ち易い。
【００２７】
なお、アルミ箔層４などの面材との接着性向上と、ウェルドライン１４などの外観不良を積極的に隠蔽するために、合成樹脂発泡体層２の表面に対して、意図的に凹凸を設けても良い。この場合の凹凸の大きさは、特に限定されないが、例えば凹部の底面から凸部の頂点までの高さが０．０１〜３ｍｍ、凸部の幅が１〜２０ｍｍのものとすることが好ましい。凸部の形状は、特に限定されないが、例えば、高さ０．０５ｍｍ〜１ｍｍ、直径５ｍｍの円柱状のものとすることができ、凸部が天井化粧パネル１の表面に占める面積比（凸部面積／天井化粧パネル１面積）を、０．３〜０．７とすることが好ましい。
【００２８】
室内側の面は、施設の天井や屋根の屋内側の面などに設置した時に下側（室内側）になる面のことである。
【００２９】
アルミ箔層４は、天井化粧パネル１に不燃性を付与するために、不燃性付与層として、合成樹脂発泡体層２の表面に取付けられる面材である。アルミ箔層４は、薄いものであるため、アルミ箔層４によってウェルドライン１４を隠蔽するようなことは難しい。アルミ箔層４は、合成樹脂発泡体層２の少なくとも片面（少なくとも室内側の面）に設けるようにする。アルミ箔層４は、両面に設けることもできるが、軽量化のためには片面とするのが好ましく、アルミ箔層４の厚さとしては０．０１〜０．２ｍｍのものを用いることで不燃性と軽量化を両立させることができる。
なお、天井化粧パネル１に不燃性を付与するためには、アルミ箔層４に替えて、ケイ酸マグネシウム板またはガラス繊維混入ケイ酸マグネシウム板を用いても良く、アルミ箔層と水酸化アルミニウム紙層の積層体などとしても良い。また、その厚さとしては、０．８〜１．５ｍｍのものを用いることが好ましい。
【００３０】
そして、以上のような構成に対し、この実施例は、以下のような構成を備えるようにする。
【００３１】
（１）上記アルミ箔層４の表面に接着剤層２１を介して受像層２２が取付けられる。
そして、図１や図５〜図７などに示すように、この受像層２２に対して、上記合成樹脂発泡体層２のウェルドライン１４に沿った方向性を有する図柄の模様２３が設けられる。
【００３２】
ここで、接着剤層２１に用いられる接着剤としては、例えば、ウレタン樹脂、ポリエチレン樹脂、ポリエステル樹脂、変性シリコーン樹脂、塩化ビニル樹脂、エポキシ樹脂、アクリル系樹脂、等を含むものが挙げられ、ホルムアルデヒドを含まないものが好ましい。受像層２２は、アルミ箔層４の上に模様２３を設けるために積層される面材である。受像層２２は、印刷などによって模様２３を設けることができる素材のものとされる。そのために、例えば、受像層２２には、水酸化アルミ箔や紙など、合成樹脂発泡体層２の面材と同じものが用いられる。また、不燃性を損なわないために、模様２３として印刷される塗料の量は、１００ｇ／ｍ2以下、好ましくは３０ｇ／ｍ2以下、より好ましくは１８ｇ／ｍ2以下とするのが好ましい。
【００３３】
上記により、天井化粧パネル１は、合成樹脂発泡体層２の表面側に、少なくとも、接着剤層３、アルミ箔層４、接着剤層２１、受像層２２、模様２３（印刷層）を有するものとなる。なお、天井化粧パネル１が不燃性を要しない場合には、アルミ箔層４は無くとも良く、合成樹脂発泡体層２の表面側に、接着剤層２１、受像層２２、模様２３（印刷層）を有するものとなる。更に、合成樹脂発泡体層２を構成する合成樹脂発泡体が両面に面材を有し、面材自体が印刷可能な材料、例えば、クラフト紙、ガラス繊維混抄紙、水酸化アルミニウム紙、合成繊維不織布等の場合には受像層２２を設けず、合成樹脂発泡体層２の室内側となる面材に模様２３を印刷したものとしても良い。
【００３４】
模様２３は、高さ６ｍ以上となる天井の位置に設置される天井化粧パネル１に設けられるため、床面から視認できるような大きさや形状のものが好ましい。模様２３は、不定形のものであっても良いし、定形のものであっても良い。また、不定形のものと定形のものとを組み合わせたものであっても良い。
【００３５】
ウェルドライン１４に沿った方向性を有する図柄の模様２３（隠蔽模様）は、例えば、ウェルドライン１４の方向２５にほぼ沿った流れ（方向性）を有するものとされる。これにより、ウェルドライン１４よりも模様２３の方が目立つようになることで、ウェルドライン１４を目立たなくしてウェルドライン１４を気付き難くする効果が期待できる。
【００３６】
より具体的には、点２６や線２７や図形などをウェルドライン１４の方向２５に沿って配したものなどとする。ウェルドライン１４の方向２５に沿った流れは、明確なものであっても良いが、特に、明確なものである必要はなく、むしろ、方向性が何となく自然に感じられる程度のものとするのが好ましい。
【００３７】
点２６は、合成樹脂発泡体層２の凹み（アバタ２８、図４参照）を目立たなくするために設けられるものであり、不規則な形状をした大小のものなどとすることができる。点２６には、面積のない（またはほとんどない）ドット状のものや、多少の面積や形がある斑点状のものなども含まれる。点２６は、遠目（天井間近からではなく、人の頭の位置から視認する場合）で見てそう感じられるようなものであれば良い。また、線２７は、アルミ箔層４のスリ傷（メタルマーク２９、図４参照）を目立たなくするために設けられるものであり、長短や太細や濃淡などを適宜有するものなどとすることができる。図形は、上記した凹み（アバタ２８）やスリ傷（メタルマーク２９）などを全般的に目立たなくするために設けられるものであり、例えば、円形や長方形やその他のものなどとすることができる。なお、点２６や線２７や図形などの用語は、この場合、デザイン的な概念を表すものとして使用している。
【００３８】
図１は、模様２３の一例であり、縞状の虫食い跡のような小さな穴のある石灰岩を点２６や短い線２７などで模したトラバーチン柄としたものである。
【００３９】
図５は、模様２３の他の例であり、緻密で、多孔質で、縞状などの多様な構造を持つ石灰質化学沈殿岩を点２６や短い線２７などで模したトラバーチン柄としたものである。
【００４０】
図６は、模様２３の別の例であり、銅版画の階調表現などとして形成されたような無数のまくれ（穴）を模した点２６や短い線２７などを有するメゾチント柄としたものである。
【００４１】
図７は、模様２３の更に別の例であり、図５よりも方向性が目立たないようにした別のメゾチント柄としたものである。
【００４２】
これらの模様２３は、いずれも、ウェルドライン１４の方向性が分かるようなものとされている。
【００４３】
（２）図８に示すように、上記模様２３は、ウェルドライン１４の方向２５に沿った点状または線状の少なくとも一方の指標３１を有するものとされる。
【００４４】
ここで、指標３１は、天井化粧パネル１を施工する者などには分かるが、一般の者にとっては特に気にならないようなものとするのが好ましい。
【００４５】
例えば、図８の場合、不規則な形状の点２６や短い線２７などをウェルドライン１４の方向２５が分かるように設けて指標３１にしたものとなっている。具体的には、指標３１は、複数の点２６をウェルドライン１４の方向２５に沿った流れを有するように配したものとすることができる。また、指標３１は、ほぼウェルドライン１４の方向２５に沿って延びた短い線２７とすることができる。言い換えると、短い線２７を、ウェルドライン１４の方向２５と平行な辺を縦、上記方向２５と直交する辺を横とした長方形内に収めたとき、この長方形の縦／横（アスペクト比）が１．０以上となるようにする。
【００４６】
あるいは、指標３１は、複数本の短い線２７を、ウェルドライン１４の方向２５に沿った流れを有するように適宜組み合わせて配したものとすることができる。これらの指標３１となる点２６や線２７は、１枚の天井化粧パネル１に対して１箇所または１部分のみに設けるようにしても良いが、この場合には、天井化粧パネル１の全面に対して多数設けられている。なお、図８では、ウェルドライン１４を実際よりも強調して描いている。
【００４７】
（３）または、図９に示すように、上記模様２３は、ウェルドライン１４に沿った方向性を有する図柄を備えたパターン４１を、ウェルドライン１４の方向２５に沿って繰り返し配したものとしても良い。
【００４８】
ここで、パターン４１（単位模様）は、上記した点２６や線２７や図形などを用いたものとしても良いし、または、上記した点２６や線２７や図形以外のものを用いても良い。パターン４１の大きさは、ウェルドライン１４の間隔と同じものとしても良いが、ウェルドライン１４の間隔とは異なる大きさのもの（または、ウェルドライン１４の間隔の整数倍にならない大きさのもの）とするのが好ましい。この場合、パターン４１は、１辺が、ウェルドライン１４の間隔の１つ分よりも大きく且つ２つ分よりも小さい長さを有する矩形状（正方形または長方形、この場合には正方形としている）のものとされている。
【００４９】
そして、図９Ａに示すように、このパターン４１を、ウェルドライン１４の方向２５が分かるような向きに揃えた状態（即ち、点２６の流れや線２７がウェルドライン１４の方向２５とほぼ平行になるよう配置された状態）で、且つ、パターン４１の辺の向きをウェルドライン１４の方向２５と平行にして、ウェルドライン１４の方向２５およびウェルドライン１４の方向２５と直交する方向に沿って繰り返し配するようにする。
【００５０】
この際、複数のパターン４１は、ウェルドライン１４の方向２５と直交する方向にズラすことなく正確な碁盤目状に配するのが好ましい（実施例１）。または、図９Ｂに示すように、複数のパターン４１は、ウェルドライン１４の方向２５と平行な方向についてはズラしても良い（実施例２）。
【００５１】
言い換えると、ウェルドライン１４の方向２５と平行な２辺と、ウェルドライン１４の方向２５と直交する２辺の４辺からなる矩形のパターン４１が、ウェルドライン１４の方向２５と平行な方向に複数配置された天井化粧パネル１において、複数のパターン４１の方向２５と平行な辺（線分）を延長した直線４５が、パターン４１のウェルドライン１４の方向２５と直交する方向の辺（線分４６）と交差しないよう配置されていることを意味している。
【００５２】
＜作用＞以下、この実施例の作用について説明する。
【００５３】
天井化粧パネル１を、合成樹脂発泡体層２と、アルミ箔層４とを有するものとした。合成樹脂発泡体層２は、軽量であるため、天井化粧パネル１の基材として用いることで、天井化粧パネル１を設置した施設の耐震性を向上することができる。また、合成樹脂発泡体層２の少なくとも室内側の面に接着剤層３を介して取付けられているアルミ箔層４によって、天井化粧パネル１に不燃性を持たせることができる。
【００５４】
そして、軽量の天井化粧パネル１を施工する場合、天井化粧パネル１は基材となる合成樹脂発泡体層２のウェルドライン１４が表面に現れるものとなるが、ウェルドライン１４には規則性があるため、複数の天井化粧パネル１を天井に並べて設置した場合に、一部のウェルドライン１４の方向２５が揃っていないと、外部から目立つことになる。そこで、ウェルドライン１４の方向２５を全て揃える必要がある。
【００５５】
天井化粧パネル１は、ウェルドライン１４の方向２５が揃うように、天井化粧パネル１の裏面に設けられた製品名の表示などの位置を一枚ずつ確認しながら施工するようにしていたが、天井化粧パネル１は、通常、室内側から施工するため、天井に取付ける直前に裏面の表示を再確認することができないので、手間が掛かっていた。また、天井化粧パネル１を天井に取付ける際に、作業者は天井間近で施工しているため、隣接する他の天井化粧パネル１のウェルドライン１４の方向が視認できず、天井化粧パネル１を取付けた後に他の天井化粧パネル１のウェルドライン１４の方向が揃っていないことが判明するなどの施工ミスも起こっていた。
【００５６】
＜効果＞この実施例によれば、以下のような効果を得ることができる。
【００５７】
（効果１）アルミ箔層４の表面に接着剤層３を介して受像層２２を取付けた。この受像層２２によって、アルミ箔層４の表面に模様２３を設けることができるようになり、天井化粧パネル１の意匠性を向上することができる。
【００５８】
この際、単に模様２３を設けたというだけでは、ウェルドライン１４をうまく隠すような効果は得られないが、この実施例では、模様２３を、ウェルドライン１４に沿った方向性を有するための図柄（隠蔽模様）にすることで、ウェルドライン１４を遠目で目立たないようにすることができる。これにより、ウェルドライン１４などの外観不良を有する合成樹脂発泡体層２であってもウェルドライン１４を気にせずに用いることが可能となり、また、ウェルドライン１４の発生による製品歩留まりの低下などがなくなるので、合成樹脂発泡体層２や天井化粧パネル１の製造コストも抑えることができるようになる。
【００５９】
（効果２）更に、受像層２２の模様２３を、ウェルドライン１４の方向２５に沿った点状または線状の少なくとも一方の指標３１を有するものとした。これにより、指標３１によってウェルドライン１４の方向２５を室内側からでも簡単確実に知ることが可能となる。また、他の天井化粧パネル１のウェルドライン１４の方向２５も一目で知ることができる。その結果、天井化粧パネル１の施工性を良くすると共に、天井化粧パネル１の施工ミスも減らすことができるようになる。
【００６０】
（効果３）模様２３として、ウェルドライン１４に沿った方向性を有する図柄を備えたパターン４１を、ウェルドライン１４の方向２５に沿って繰り返し配するようにした。これにより、複数のパターン４１の連続性や、複数のパターン４１間にできる空白部の連続性などを意図的に生じさせることができる。そして、これらの連続性によって、ウェルドライン１４を隠しつつ、ウェルドライン１４の方向２５が遠目で分かるようにすることが可能となる。
【００６１】
なお、図９Ａ、図９Ｂに示すように、複数のパターン４１は、ウェルドライン１４の方向２５と直交する方向にズラすことなく、正確な碁盤目状に配したり（図９Ａ）、ウェルドライン１４の方向２５にズラして配したり（図９Ｂ）するのが好ましい。これに対し、例えば、図９Ｃのように、複数のパターン４１を、ウェルドライン１４の方向２５と直交する方向にズラして（上記した直線４５と線分４６とが交差するように）配するのは好ましくない。
【００６２】
また、図１２Ａは、複数のパターン４１を、ウェルドライン１４の方向２５に対し傾けて配したものである。この図からも分かるように、パターン４１の向きによっても視覚的な印象はだいぶ異なったものとなり、ウェルドライン１４を隠しつつ、ウェルドライン１４の方向２５が遠目で分かるようにする効果は、図９Ａのものが最も高く、図９Ｂのものは図９Ａのものよりも劣り、図１０Ａのものは図９Ａや図９Ｂのものよりも劣ることになる。図１０Ａはパターン４１を傾けたことにより模様２３も若干傾いているが、パターン４１が傾いていても、パターン４１上の模様２３がウェルドライン１４の方向２５に沿っていれば良い。これに対し、図１０Ｂに示すように、パターン４１の傾きによって、パターン４１上の模様２３がウェルドライン１４の方向２５と傾くとウェルドライン１４の方向２５が分かり難くなるので好ましくない。なお、図９〜図１０中、天井化粧パネル１の下縁部の模様のない部分は、天井化粧パネル１の端面の状態を示している。
【００６３】
なお、上記の実施の形態においては、ウェルドライン１４を隠蔽する構成について主に説明したが、これに限るものではない。
例えば、熱硬化性樹脂であるウレタンフォームやフェノールフォームを製造する方法として、スラットと呼ばれる可動式の金型を複数連結した型内に樹脂を吐出して発泡体を成形するスラット型ダブルコンベアを用いて製造する方法（例えば、特開昭５７−９１２４４号公報や、特開平１１−２１６８３０号公報）が知られているが、スラット型ダブルコンベアを用いて製造すると、スラット痕と呼ばれるスラットの連結部分に由来する凹凸が生じる（特開平１１−２１６８３０号公報の図４）。このスラット痕は、ウェルドライン１４の方向２５と直交する方向に形成され、天井化粧パネル１においてはこのスラット痕もウェルドライン１４と同様に外観不良となるため、このスラット痕の隠蔽に、上記の実施形態で説明した発明を用いても良い。
具体的には、スラット痕はウェルドライン１４の方向２５と直交する方向に形成されるため、図９のパターン４１を９０°傾けた配置とする。
より具体的には、矩形のパターン４１を、スラット痕の方向が分かるような向きに揃えた状態（即ち、点２６や線２７がスラット痕の方向と平行になるよう配置された状態）で、且つ、パターン４１の辺の向きをスラット痕の方向と平行にして、スラット痕の方向およびスラット痕の方向と直交する方向に沿って繰り返し配するようにする。
言い換えると、スラット痕の方向と平行な２辺と、スラット痕の方向と直交する２辺の４辺からなる矩形のパターン４１が、スラット痕の方向と平行な方向に複数配置された天井化粧パネル１において、複数のパターン４１のスラット痕の方向と平行な辺（線分）が連続して形成される直線が、パターン４１のスラット痕の方向と直交する方向の辺（線分）と交点を持たない様に配置されている、ことを意味している。
【００６４】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６５】
１    天井化粧パネル
２    合成樹脂発泡体層
３    接着剤層
４    アルミ箔層
１４  ウェルドライン
２１  接着剤層
２２  受像層
２３  模様
２５  方向
３１  指標
４１  パターン
【図１】
0006698385.tif 000002
【図２】
0006698385.tif 000003
【図３】
0006698385.tif 000004
【図４】
0006698385.tif 000005
【図５】
0006698385.tif 000006
【図６】
0006698385.tif 000007
【図７】
0006698385.tif 000008
【図８】
0006698385.tif 000009
【図９】
0006698385.tif 000010
【図９Ａ】
0006698385.tif 000011
【図９Ｂ】
0006698385.tif 000012
【図９Ｃ】
0006698385.tif 000013
【図１０Ａ】
0006698385.tif 000014
【図１０Ｂ】
0006698385.tif 000015